(57)【要約】【課題】複数の記録モードで使用できる情報記録媒体が装填されたときに処置が可能となる情報記録媒体、情報記録媒体の記録方法、情報記録再生装置を提供する。【解決手段】情報記録媒体（２０）は、データ領域（３３）と、システム領域（３１）とを具備する。データ領域（３３）には、ユーザデータが記録される。システム領域（３１）には、データ領域（３３）の記録状態を管理する管理情報が記録される。システム領域（３１）に記録される管理情報は、データ領域（３３）へのユーザデータの格納方法を示す記録モードを含む。【選択図】図３
2008047212.tif 000002
【特許請求の範囲】
【請求項１】
ユーザデータを記録するデータ領域と、
前記データ領域の記録状態を管理する管理情報を記録するシステム領域と
を具備し、
前記管理情報は、前記データ領域への前記ユーザデータの格納方法を示す記録モードを含む
情報記録媒体。
【請求項２】
前記記録モードは、少なくとも、
連続的に割り当てられる領域に前記ユーザデータを記録するシーケンシャル記録モードと、
離散的に割り当てられる領域に前記ユーザデータを記録するランダム記録モードと
を備える
請求項１に記載の情報記録媒体。
【請求項３】
前記管理情報は、記録マークが記録された領域と、記録マークが記録されていない領域とを示すデータ記録履歴情報を含む
請求項１または請求項２に記載の情報記録媒体。
【請求項４】
情報記録媒体から記録モード情報を読み込む記録状態情報読み出しステップと、前記記録モード情報は、前記情報記録媒体へのユーザデータの格納方法を示す記録モードを示して前記情報記録媒体に設定され、
前記記録モード情報に設定される前記記録モードに対応する記録機能を有するか否かを判定する判定ステップと、
前記判定ステップにより前記記録機能を有すると判定されたときのみ前記情報記録媒体に記録する記録ステップと
を具備する
情報記録媒体の記録方法。
【請求項５】
情報記録媒体から記録モード情報を読み込む記録状態情報読み出しステップと、前記記録モード情報は、前記情報記録媒体へのユーザデータの格納方法を示す記録モードを示して前記情報記録媒体に設定され、
前記記録モード情報に設定される前記記録モードに対応する記録機能を有するか否かを判定する判定ステップと、
前記判定ステップにより前記記録機能を有しないと判定されたとき、前記情報記録媒体に記録することができないことを示す記録拒否動作を行う記録拒否ステップと
を具備する
情報記録媒体の記録方法。
【請求項６】
前記記録モードは、少なくとも、
連続的に割り当てられる領域にユーザデータを記録するシーケンシャル記録モードと、
離散的に割り当てられる領域に前記ユーザデータを記録するランダム記録モードと
を備える
請求項４または請求項５に記載の情報記録媒体の記録方法。
【請求項７】
記録マークが記録されていない未記録領域に所定の記録マークを自律的に記録するダミーデータ記録ステップをさらに具備する
請求項４から請求項６のいずれかに記載の情報記録媒体の記録方法。
【請求項８】
前記ダミーデータ記録ステップは、前記情報記録媒体の最も外周側に位置する前記未記録領域から前記所定の記録マークを記録するステップを備える
請求項７に記載の情報記録媒体の記録方法。
【請求項９】
前記ダミーデータ記録ステップは、
前記未記録領域を所定の容量毎に複数の領域に分割して管理するステップと、
前記複数の領域のうちの最も外周側に位置する領域から順に前記所定の記録マークを記録するステップと
を備える
請求項７または請求項８に記載の情報記録媒体の記録方法。
【請求項１０】
前記ダミーデータ記録ステップは、
記録マークが記録されている記録済み領域に挟まれる複数の未記録領域のうちの最も外周側に位置する未記録領域から順に前記所定の記録マークを記録する
請求項７から請求項９のいずれかに記載の情報記録媒体の記録方法。
【請求項１１】
情報記録媒体から記録モード情報を読み込む記録状態情報読み出し部と、前記記録モード情報は、前記情報記録媒体へのユーザデータの格納方法を示す記録モードを示して前記情報記録媒体に設定され、
前記記録モード情報に設定される前記記録モードに対応する記録機能を有するか否かを判定する処理決定部と
を具備し、
前記処理決定部により前記記録機能を有すると判定されたときのみ前記情報記録媒体に記録動作を行う
情報記録再生装置。
【請求項１２】
情報記録媒体から記録モード情報を読み込む記録状態情報読み出し部と、前記記録モード情報は、前記情報記録媒体へのユーザデータの格納方法を示す記録モードを示して前記情報記録媒体に設定され、
前記記録モード情報に設定される前記記録モードに対応する記録機能を有するか否かを判定する処理決定部と
を具備し、
前記処理決定部により前記記録機能を有しないと判定されたとき、前記情報記録媒体に記録できないことを示す記録拒否動作を行う
情報記録再生装置。
【請求項１３】
前記記録モードは、少なくとも、
連続的に割り当てられる領域にユーザデータを記録するシーケンシャル記録モードと、
離散的に割り当てられる領域に前記ユーザデータを記録するランダム記録モードと
を備える
請求項１１または請求項１２に記載の情報記録再生装置。
【請求項１４】
記録マークが記録されていない未記録領域に所定の記録マークを自律的に記録するダミーデータ記録処理制御部をさらに具備する
請求項１１から請求項１３のいずれかに記載の情報記録再生装置。
【請求項１５】
前記ダミーデータ記録処理制御部は、前記情報記録媒体の最も外周側に位置する前記未記録領域から前記所定の記録マークを記録する
請求項１４に記載の情報記録再生装置。
【請求項１６】
前記ダミーデータ記録処理制御部は、
前記未記録領域を所定の容量毎に複数の領域に分割して管理し、
前記複数の領域のうちの最も外周側に位置する領域から順に前記所定の記録マークを記録する
請求項１４または請求項１５に記載の情報記録再生装置。
【請求項１７】
前記ダミーデータ記録処理制御部は、
記録マークが記録されている記録済み領域に挟まれる複数の未記録領域のうちの最も外周側に位置する未記録領域から順に前記所定の記録マークを記録する
請求項１４または請求項１５に記載の情報記録再生装置。
【請求項１８】
前記情報記録媒体に前記記録モード情報として前記ランダム記録モードが設定されているとき、前記ダミーデータ記録処理制御部は、前記所定の記録マークを自律的に記録する
請求項１４から請求項１７のいずれかに記載の情報記録再生装置。
【発明の詳細な説明】
【技術分野】
【０００１】
本発明は、高密度光ディスクの記録方法およびその記録再生装置に関する。
【背景技術】
【０００２】
現在、ＤＶＤ（Ｄｉｇｉｔａｌ  Ｖｅｒｓａｔｉｌｅ  Ｄｉｓｃ）規格には、大きく分類して、ＤＶＤ−ＲＯＭ（ＤＶＤ−Ｒｅａｄ  Ｏｎｌｙ  Ｍｅｍｏｒｙ）、ＤＶＤ−Ｒ（ＤＶＤ−Ｒｅｃｏｒｄａｂｌｅ）、ＤＶＤ−ＲＷ（ＤＶＤ−ＲｅＷｒｉｔａｂｌｅ）、ＤＶＤ−ＲＡＭ（ＤＶＤ−Ｒａｎｄｏｍ  Ａｃｃｅｓｓ  Ｍｅｍｏｒｙ）の４種類の規格が存在する。そのうち記録型の規格は、ＤＶＤ−Ｒ、ＤＶＤ−ＲＷ、ＤＶＤ−ＲＡＭの３種類であるが、これらの規格はその記録の仕方（記録モード）で大きく異なる特性を有している。
【０００３】
ＤＶＤ−ＲおよびＤＶＤ−ＲＷは、ＤＶＤ−ＲＯＭとの互換性を重視した規格であり、基本的に連続する領域としてユーザデータが記録される（シーケンシャル記録モード）。つまり、シーケンシャル記録モードでは、前回記録した領域に継ぎ足す形で新しいユーザデータが記録され、記録済み領域が拡大していく。このような記録をする理由は、多くのＤＶＤプレーヤ（再生機能しかない再生専用装置）が、記録マーク列のない領域にアクセスできないという特性を有することに起因する。すなわち、ＤＶＤプレーヤがアクセスできる領域は、記録マーク列で埋まっていなくてはならない。多くのＤＶＤプレーヤは、トラッキング方式として、データ信号からトラッキングエラー信号を算出してサーボをかけるＤＰＤ方式を採用している。ＤＰＤ方式を採用するＤＶＤプレーヤは、記録マーク列のない領域にアクセスできない。
【０００４】
トラッキング方式には、案内溝にトラッキングをかけることができるプシュプル方式という方法もある。プッシュプル方式では未記録領域にもアクセスが可能になるが、コストが上昇する。そのためＤＶＤプレーヤの多くはこの方式を採用していない。
【０００５】
一方、シーケンシャル記録というのは、ＤＶＤプレーヤ、ＤＶＤレコーダといったＤＶＤビデオを記録再生する用途に対して相性が良い。また、ＤＶＤ−ＲやＤＶＤ−ＲＷは、ＤＶＤプレーヤにより再生可能とするために、ＤＶＤ−ＲＯＭと互換性の高い物理フォーマットが採用されている。
【０００６】
ＤＶＤ−ＲＡＭは、ＤＶＤプレーヤによる再生より、パーソナルコンピュータ等の情報処理機器によるテキストデータやアプリケーションデータの記録・再生を重視している。したがって、ＤＶＤプレーヤによる再生を気にする必要はなく、ＤＶＤプレーヤとの相性の良いシーケンシャル記録方式を採用する必然はない。むしろ、パーソナルコンピュータ等によりテキストデータやアプリケーションデータを記録するのに都合のより良いランダム記録方式を採用するほうが理にかなっている。したがって、ＤＶＤ−ＲＡＭは、パーソナルコンピュータ等に装備されているハードディスクドライブのように、ユーザデータエリアの任意の場所に記録ができるランダム記録方式を採用している。これによって、情報処理機器におけるＤＶＤ−ＲＡＭの使い勝手は、ＤＶＤ−Ｒ、ＤＶＤ−ＲＷに比べてはるかに良くなっている。しかしながら、ランダム記録方式では、ディスクの任意の場所に記録できるため、全ての記録領域にユーザデータが記録されるまでは、ユーザデータを記録した場所と未記録の場所が同一ディスク上に混在することになる。したがって、ＤＶＤプレーヤによる再生はできない。
【０００７】
特開２００５−１９０５３９号公報によれば、ランダム記録モード或いはシーケンシャル記録モードにおける記録状態を示す管理情報に関する技術が開示されている。
【０００８】
【特許文献１】特開２００５−１９０５３９号公報
【発明の開示】
【発明が解決しようとする課題】
【０００９】
上記に示されるように、現在のＤＶＤ規格には再生専用メディア（ＤＶＤ−ＲＯＭ：ＲＯＭ媒体）と互換性を取りながらかつランダム記録ができるメディアが存在していなかった。つまり、ビデオ記録をするのか、データファイル記録をするのかというように、用途によって記録媒体を使い分ける必要があった。ユーザにとっては、１種類の記録媒体がシーケンシャル記録およびランダム記録のどちらにも使用できることが望ましい。
【００１０】
１種類の記録媒体がシーケンシャル記録およびランダム記録のどちらにも使用される場合、記録装置が両方の記録モードに対応していれば問題はない。しかし、記録装置がどちらかにしか対応していない場合、対応していない記録モードで記録された記録媒体が装填されたときに処置ができなくなる可能性がある。
【００１１】
本発明の目的は、複数の記録モードで使用できる情報記録媒体が装填されたときに処置が可能となる情報記録媒体、情報記録媒体の記録方法、情報記録再生装置を提供することにある。
【００１２】
本発明の他の目的は、ユーザに意識させることなく再生専用装置により再生可能な情報記録媒体を生成する情報記録媒体の記録方法、情報記録再生装置を提供することにある。
【課題を解決するための手段】
【００１３】
以下に、［発明を実施するための最良の形態］で使用される番号・符号を用いて、課題を解決するための手段を説明する。これらの番号・符号は、［特許請求の範囲］の記載と［発明を実施するための最良の形態］との対応関係を明らかにするために付加されたものである。ただし、それらの番号・符号を、［特許請求の範囲］に記載されている発明の技術的範囲の解釈に用いてはならない。
【００１４】
本発明の観点では、情報記録媒体（２０）は、データ領域（３３）と、システム領域（３１）とを具備する。データ領域（３３）には、ユーザデータが記録される。システム領域（３１）には、データ領域（３３）の記録状態を管理する管理情報が記録される。システム領域（３１）に記録される管理情報は、データ領域（３３）へのユーザデータの格納方法を示す記録モードを含む。
【００１５】
この記録モードは、少なくとも、シーケンシャル記録モードと、ランダム記録モードとを備える。シーケンシャル記録モードとは、連続的に割り当てられる領域にユーザデータが記録される記録モードである。ランダム記録モードとは、離散的に割り当てられる領域にユーザデータが記録される記録モードである。また、管理情報は、記録マークが記録された領域と、記録マークが記録されていない領域とを示すデータ記録履歴情報を含んでもよい。
【００１６】
本発明の他の観点では、情報記録媒体の記録方法は、記録状態情報読み出しステップと、判定ステップと、記録ステップとを具備する。記録状態情報読み出しステップでは、情報記録媒体（２０）から記録モード情報が読み込まれる。この記録モード情報は、前記情報記録媒体（２０）へのユーザデータの格納方法を示す記録モードを示し、情報記録媒体（２０）に設定される。判定ステップでは、記録モード情報に設定される記録モードに対応する記録機能を有するか否かが判定される。記録ステップでは、判定ステップにより記録機能を有すると判定されたときのみ、情報が情報記録媒体に記録される。
【００１７】
また、情報記録媒体の記録方法は、記録状態情報読み出しステップと、判定ステップと、記録拒否ステップとを具備する。記録状態情報読み出しステップでは、情報記録媒体から記録モード情報が読み込まれる。この記録モード情報は、前記情報記録媒体（２０）へのユーザデータの格納方法を示す記録モードを示し、情報記録媒体（２０）に設定される。判定ステップでは、記録モード情報に設定される記録モードに対応する記録機能を有するか否かが判定される。記録拒否ステップでは、判定ステップにより記録機能を有しないと判定されたとき、情報記録媒体に記録することができないことを示すエラー返信や情報記録媒体（２０）排出等の動作をする。
【００１８】
本発明の情報記録媒体の記録方法では、記録モードは、少なくとも、シーケンシャル記録モードと、ランダム記録モードとを備える。シーケンシャル記録モードは、連続的に割り当てられる領域にユーザデータを記録する記録モードである。ランダム記録モードは、離散的に割り当てられる領域に前記ユーザデータを記録する記録モードである。
【００１９】
本発明の情報記録媒体の記録方法は、ダミーデータ記録ステップをさらに具備する。ダミーデータ記録ステップでは、記録マークが記録されていない未記録領域（３５）に所定の記録マークが自律的に記録される。このとき、情報記録媒体（２０）の最も外周側に位置する未記録領域から所定の記録マークを記録することが好ましい。
【００２０】
本発明の情報記録媒体の記録方法では、ダミーデータ記録ステップは、管理するステップと、記録するステップとを備える。管理するステップでは、未記録領域は所定の容量毎に複数の領域に分割して管理される。記録するステップでは、複数の領域のうちの最も外周側に位置する領域から順に所定の記録マークが記録される。
【００２１】
また、管理する領域は、記録マークが記録されている記録済み領域に挟まれる未記録領域としてもよい。その場合、ダミーデータ記録ステップでは、記録済み領域に挟まれる複数の未記録領域のうちの最も外周側に位置する未記録領域から順に所定の記録マークが記録される。
【００２２】
また、本発明の他の観点では、情報記録再生装置（１０）は、記録状態情報読み出し部と、処理決定部とを具備する。記録状態情報読み出し部は、情報記録媒体（２０）から記録モード情報を読み込む。この記録モード情報は、情報記録媒体（２０）へのユーザデータの格納方法を示す記録モードを示し、情報記録媒体（２０）に設定される。処理決定部は、記録モード情報に設定される記録モードに対応する記録機能を有するか否かを判定する。情報記録再生装置（１０）は、処理決定部により記録機能を有すると判定されたときのみ情報記録媒体に記録動作を行う。また、情報記録再生装置（１０）は、処理決定部により記録機能を有しないと判定されたとき、情報記録媒体に記録できないことを示す記録拒否動作として、エラー返信や情報記録媒体（２０）の排出を行う。
【００２３】
本発明において、記録モードは、少なくとも、シーケンシャル記録モードと、ランダム記録モードとを備える。シーケンシャル記録モードは、連続的に割り当てられる領域にユーザデータを記録する記録モードである。ランダム記録モードは、離散的に割り当てられる領域に前記ユーザデータを記録する記録モードである。
【００２４】
本発明の情報記録再生装置は、ダミーデータ記録処理制御部をさらに具備する。ダミーデータ記録処理制御部は、記録マークが記録されていない未記録領域（３５）に所定の記録マークを自律的に記録する。このとき、情報記録媒体（２０）の最も外周側に位置する未記録領域から所定の記録マークを記録することが好ましい。
【００２５】
また、本発明のダミーデータ記録処理制御部は、未記録領域を所定の容量毎に複数の領域に分割して管理し、複数の領域のうちの最も外周側に位置する領域から順に所定の記録マークを記録してもよい。
【００２６】
また、管理する領域は、記録マークが記録されている記録済み領域に挟まれる未記録領域としてもよい。その場合、記録済み領域に挟まれる複数の未記録領域のうちの最も外周側に位置する未記録領域から順に所定の記録マークが記録される。
【００２７】
情報記録媒体（２０）に、記録モード情報としてランダム記録モードが設定されているとき、ダミーデータ記録処理制御部は、所定の記録マークを自律的に記録することが好ましい。
【発明の効果】
【００２８】
本発明によれば、複数の記録モードで使用できる情報記録媒体が装填されたときに処置が可能となる情報記録媒体、情報記録媒体の記録方法、情報記録再生装置を提供することができる。
【００２９】
また、本発明によれば、ユーザに意識させることなく再生専用装置により再生可能な情報記録媒体を生成する情報記録媒体の記録方法、情報記録再生装置を提供することができる。
【発明を実施するための最良の形態】
【００３０】
図を参照して、本発明を実施するための最良の形態を説明する。
【００３１】
（第１の実施の形態）
図１は、本発明の第１の実施の形態に係る情報記録再生装置（以下光ディスク装置とする）の構成を示すブロック図である。光ディスク装置１０は、スピンドル駆動系１１、光ヘッド１２、ＬＤ駆動系１３、再生信号系１４、データ制御コントローラ１５、システムコントローラ１７、メモリ１８、サーボコントローラ１６を具備する。
【００３２】
スピンドル駆動系１１は、光ディスク２０を駆動する。光ヘッド１２は、レーザダイオード（ＬＤ）、ビームスプリッタ、対物レンズ、受光部を備え、光ディスク２０にレーザ光を照射し、その反射光を検出する。検出された入力信号は、再生信号系１４に出力される。ＬＤ駆動系１３は、光ヘッド１２のレーザダイオードを駆動する。再生信号系１４は、光ヘッド１２から入力される信号にフィルタリング等の処理を行う。
【００３３】
データ制御コントローラ１５は、再生信号系１４から入力される信号を復調してシステムコントローラ１７に出力し、システムコントローラ１７から入力される記録データを変調してＬＤ駆動系１３に出力する。サーボコントローラ１６は、サーボ信号を生成し、光ヘッド１２の位置、姿勢を制御する。
【００３４】
システムコントローラ１７は、データ制御コントローラ１５から復調データを取り込み、光ディスク２０に記録すべきデータをデータ制御コントローラ１５に出力する。システムコントローラ１７は、スピンドル駆動系１１、サーボコントローラ１６を制御し、光ディスク装置１０全体を統括する。システムコントローラ１７は、これらの制御情報をメモリ１８に記憶し、制御に使用する。システムコントローラ１７は、データ制御コントローラ１５、サーボコントローラ１６等を制御し、光ディスク２０の管理情報領域から光ディスク２０のデータ記録状態に関する情報を読み出し、メモリ１８に記憶する。システムコントローラ１７は、内部に記録状態情報読み出し部、処理決定部、ダミーデータ記録処理制御部を備え、光ディスク２０に記録してあるデータ記録状態に関する情報を使用し、未記録領域にダミーデータ記録処理を行う。
【００３５】
光ディスク２０は、データビット長が０．１５μｍ、トラックピッチが０．４０μｍのイン・グルーブ・フォーマットの媒体である。光ディスク２０の内周側にＲＭＺ（Ｒｅｃｏｒｄｉｎｇ  ｍａｎａｇｅｍｅｎｔ  ｚｏｎｅ）と呼ばれる情報管理領域が配置される。その領域に記録状態などの情報が記録され、光ディスク装置１０は、この情報に基づいて光ディスク２０の記録状態などを管理する。ＲＭＺにはいろいろな情報を記録することが原理的に可能であるが、ＲＭＺ内に記録される情報は、記録モード情報とデータ記録履歴情報とを含む。記録モード情報は、記録モードに関する情報を示し、データ記録履歴情報は、光ディスク２０上の未記録領域に関する情報を示す。
【００３６】
本実施の形態では、ＲＭＺ内に１バイト分の領域を確保し、その領域に記録モード情報が記録される。図２に示されるように、記録モード情報として、シーケンシャル記録モード／ランダム記録モード、未記録領域あり／なしが数値に対応付けて示される。すなわち、ブランクディスク（まだユーザデータが何ら記録されていないディスク）は数値００ｈ（ｈは１６進数であることを示す）、未記録領域の無いシーケンシャル記録モードディスクは数値１２ｈ、未記録領域が残っているシーケンシャル記録モードディスクは数値１３ｈ、未記録領域の無いランダム記録モードディスクは数値２２ｈ、未記録領域が残っているランダム記録モードディスクは数値２３ｈにより示される。光ディスク装置１０は、この情報を光ディスク２０から読み取ることによって、光ディスク２０がどのような状態にあるかを知ることができる。つまり、光ディスク装置１０は、複数の記録モードに対し、この管理情報を読み取りことにより、光ディスク２０に適した動作をすることができる。光ディスク装置１０が動作をサポートしていない記録モードの光ディスク２０をユーザが誤って光ディスク装置１０に装填したとしても、光ディスク装置１０はエラーを表示するなど適切に処置できることになる。
【００３７】
次に、光ディスク装置１０の動作が説明される。光ディスク装置１０が、シーケンシャル記録モード、ランダム記録モードのどちらに対応しているかにより動作が異なる。第１の実施の形態に係る光ディスク装置１０は、ランダム記録モードにのみ対応して動作する。
【００３８】
ランダム記録モードのみに対応している光ディスク装置１０は、ホスト装置からの指示に対して、概ね、図３に示されるように動作する。光ディスク装置１０は、装填された光ディスク２０の情報管理領域をアクセスし、管理情報を読み込む（ステップＳ１１）。光ディスク装置１０は、管理情報の中の記録モード情報に基づいて、その光ディスク２０がどの記録モードでデータが記録されているかを判別する（ステップＳ１２）。
【００３９】
光ディスク２０がシーケンシャル記録モードにより記録されている場合（ステップＳ１２−シーケンシャル記録）、光ディスク装置１０は、ランダム記録モードのみサポートしているため、シーケンシャル記録モードによる記録動作ができない。したがって、光ディスク装置１０は、ホスト装置から記録要求があったとしても記録を行わず、ホスト装置の指示に対してエラーを返信するとか、装填された光ディスク２０を排出するなど、記録拒否動作を行う。
【００４０】
一方、光ディスク２０がランダム記録モードにより記録されている場合（ステップＳ１２−ランダム記録）、光ディスク装置１０は、ホスト装置から記録要求があれば（ステップＳ１４−要求あり）、記録要求に従って記録を行う（ステップＳ１６）。図４に示されるように、光ディスク２０は、通常、リードイン領域３１、データ領域３３、リードアウト領域３２を備える。管理情報などはシステム領域であるリードイン領域３１に、ユーザデータはデータ領域３３に記録される。ランダム記録モードであるから、図４に示されるように、ユーザデータが記録された記録済み領域３４は、データ領域３３内に領域３４−１、３４−２、…、３４−ｎと散在することになる。このように、記録済み領域と未記録領域とが混在する場合、その光ディスクは、未記録領域にアクセスできない再生専用装置では再生できない光ディスクとなる。
【００４１】
本実施の形態の光ディスク装置１０は、ホスト装置から記録要求がないとき（ステップＳ１４−要求なし）、未記録領域にダミーのデータを記録するダミーデータ記録処理を行う（ステップＳ１７）。ダミーデータ記録処理は、ＲＯＭ媒体との互換性を保つための処理であり、光ディスク装置１０が未記録領域に記録マークを自律的に記録する。光ディスク２０の全面にわたって記録マークが形成されている場合、また、ダミーデータ記録処理によって全ての領域に記録マークを形成し終わった場合には、当然それ以上記録する必要は無いため、ダミーデータ記録は行われない。光ディスク２０に未記録領域が残っているか否かは、データ記録履歴情報として光ディスク２０内に記録されている。
【００４２】
図５に示されるように、ダミーデータ記録によって散在する未記録領域が全て記録済み領域３５−１、３５−２、…、３５−ｎになると、ＲＯＭ媒体との互換性を確保でき、光ディスク２０は、再生専用装置によってもアクセスが可能となる。
【００４３】
さらに、図６から図１２を参照して、光ディスク装置１０の動作の詳細を説明する。図６は、光ディスク２０が光ディスク装置１０に装填されたときの動作を示すフローチャートである。
【００４４】
光ディスク２０が装填されると、光ディスク装置１０は、所定の手順に従ってスピンドルオン、レーザオン、サーボオンというように、光ディスク２０の駆動を開始する。光ディスク２０をアクセスできるようになると、光ディスク装置１０は、システム領域に記録されている管理情報等を読み取る。光ディスク表面から反射膜までの距離、反射膜の数、その他光ディスク２０に記録されている情報等により光ディスクの種類およびデータ記録状態が特定される（ステップＳ１０１）。
【００４５】
装填された光ディスク２０が高密度の光ディスクでなければ（ステップＳ１０２−Ｎｏ）、ＲＭＺ内の記録モード情報に記録モードの設定やダミーデータ記録処理を行わずに通常のランダム記録動作に移行する（ステップＳ１０９）。ここでは、高密度でない光ディスクとして、従来のＤＶＤ系光ディスクやＣＤ系光ディスクを例示し、高密度の光ディスクとしては本発明の管理情報を有する光ディスクを想定する。
【００４６】
装填された光ディスク２０が高密度の光ディスクである場合（ステップＳ１０２−Ｙｅｓ）、光ディスク装置１０は、光ディスク２０上のデータ記録状態、ここでは、ユーザデータ記録が行われていないブランクディスクか否かを確認する（ステップＳ１０３）。
【００４７】
装填された光ディスク２０がブランクディスクでなければ（ステップＳ１０３−Ｎｏ）、光ディスク装置１０は、ＲＭＺ内に設定されている記録モード情報を読み込み、設定されている情報を確認する（ステップＳ１１０）。記録モード情報にランダム記録モードが設定されていなければ（ステップＳ１１１−Ｎｏ）、ホスト装置へのエラー返信、ディスク排出等のエラー処理を行う（ステップＳ１１２）。設定されている記録モードがランダム記録モードであれば（ステップＳ１１１−Ｙｅｓ）、ホスト装置からの指示を待つコマンド待ち状態になる（ステップＳ１１３）。
【００４８】
装填された光ディスク２０がブランクディスクであれば（ステップＳ１０３−Ｙｅｓ）、ホスト装置からの指示を待つコマンド待ち状態になる（ステップＳ１０５）。
【００４９】
ホスト装置から受信したコマンドが、記録モードを設定する記録モード設定コマンドでなければ（ステップＳ１０６−Ｎｏ）、光ディスク装置１０はホスト装置へのエラー返信、ディスク排出等のエラー処理を行う（ステップＳ１１２）。ホスト装置から記録モード設定コマンドを受信すると（ステップＳ１０６−Ｙｅｓ）、光ディスク装置１０はホスト装置から要求されている記録モードがランダム記録モードであるか確認する（ステップＳ１０７）。
【００５０】
ホスト装置から要求された記録モードがランダム記録モードでなければ（ステップＳ１０７−Ｎｏ）、光ディスク装置１０はホスト装置へのエラー返信、ディスク排出等のエラー処理を行う（ステップＳ１１２）。ホスト装置からランダム記録モードの設定を要求された場合（ステップＳ１０７−Ｙｅｓ）、記録モード情報として“ランダム記録モード（未記録領域あり）”を設定し、ＲＭＺ内に記録する（ステップＳ１０８）。その後、光ディスク装置１０は、ホスト装置からのコマンド待ち状態になる（ステップＳ１１３）。
【００５１】
このコマンド待ち状態（ステップＳ１１３）以降の動作例は、図７Ａおよび図７Ｂに示される。光ディスク装置１０は、ランダム記録モードでホスト装置から指示を待つ（ステップＳ１１３）。ホスト装置から通常の記録再生動作を必要とするコマンドを受信していなければ（ステップＳ１１３−Ｎｏ、ステップＳ２００−Ｎｏ）、光ディスク２０に対するデータ記録状態をＲＭＺ内のデータ記録履歴情報で確認する（図７Ｂ：ステップＳ２０８）。光ディスク２０上に未記録領域が存在している場合（ステップＳ２０９−Ｎｏ）、光ディスク装置１０は、光ディスク２０の未記録領域に対してダミーデータの記録を自律的に開始する（ステップＳ２１２）。ダミーデータの記録動作（ステップＳ２２０）の詳細は、後述する。
【００５２】
光ディスク２０上に未記録領域が存在しない場合（ステップＳ２０９−Ｙｅｓ）、および、ダミーデータ記録処理（ステップＳ２２０）を終了した場合、ＲＭＺ内の記録モード情報およびデータ記録履歴情報の更新が終了しているか確認する（ステップＳ２１０）。記録モード情報およびデータ記録履歴情報が更新されていれば（ステップＳ２１０−Ｎｏ）、再びホスト装置からのコマンド待ち状態に戻る（図７Ａ：ステップＳ１１３）。ＲＭＺ内の記録モード情報およびデータ記録履歴情報が更新されていなければ（ステップＳ２１０−Ｙｅｓ）、記録モード情報としてランダム記録モード、データ記録履歴情報として未記録領域なしを設定する（ステップＳ２１１）。その後、再びホスト装置からのコマンド待ち状態に戻る（図７Ａ：ステップＳ１１３）。
【００５３】
一方、ホスト装置からのコマンド待ち状態で（図７Ａ：ステップＳ１１３）、通常の記録再生動作を必要とするコマンドを受信したならば（ステップＳ２００−Ｙｅｓ）、受信したコマンドの内容を確認する（ステップＳ２０１）。
【００５４】
ホスト装置からのコマンドが、データ再生要求ならば（ステップＳ２０１−Ｎｏ）、光ディスク２０に対して通常のデータ再生動作を行い（ステップＳ２０７）、ホスト装置からのコマンド待ち状態に戻る（ステップＳ１１３）。ホスト装置からのコマンドが、データ記録要求ならば（ステップＳ２０１−Ｙｅｓ）、光ディスク２０に対してデータ記録動作を行う（ステップＳ２０２）。データ記録を完了すると、光ディスク２０上のデータ記録状態を示すＲＭＺ内のデータ記録履歴情報を更新する（ステップＳ２０３）。
【００５５】
その後、光ディスク２０上に未記録領域が存在するか確認を行う（ステップＳ２０４）。光ディスク２０上に未記録領域が存在するならば（ステップＳ２０４−Ｎｏ）、ホスト装置からのコマンド待ち状態に戻る（ステップＳ１１３）。光ディスク２０上に未記録領域が存在しなければ（ステップＳ２０４−Ｙｅｓ）、ＲＭＺ内の記録モード情報の更新が終了しているか確認を行う（ステップＳ２０５）。ＲＭＺ内の記録モード情報が更新されていれば（ステップＳ２０５−Ｎｏ）、ホスト装置からのコマンド待ち状態に戻る（ステップＳ１１３）。ＲＭＺ内の記録モード情報が更新されていなければ（ステップＳ２０５−Ｙｅｓ）、ＲＭＺ内の記録モード情報に“ランダム記録モード（未記録領域なし）”を設定し（ステップＳ２０６）、ホスト装置からのコマンド待ち状態に戻る（ステップＳ１１３）。
【００５６】
次に、ダミーデータ記録処理動作の詳細を説明する。ダミーデータ記録処理は、光ディスク装置１０が、通常の記録再生動作を必要とするコマンドを受信していないときに、光ディスク２０上の未記録領域に対してダミーデータを記録する処理である。ここでは２通りの動作が説明される。
【００５７】
まず、第１のダミーデータ記録処理動作として、図８Ａおよび図８Ｂを参照して説明する。第１のダミーデータ記録処理では、光ディスク装置１０が、光ディスク２０上の未記録領域に対してダミーデータを記録する場合、ダミーデータを記録すべき領域を複数に分割してダミーデータ記録領域を割り当て、ダミーデータ記録を実施する。
【００５８】
図８Ａに示されるように、光ディスク装置１０は、ダミーデータを記録する領域を複数に分割する（ステップＳ３００）。例えば、図９に示されるように、光ディスク装置１０は、データ領域を３等分し、内周領域４１、中周領域４２、外周領域４３に分割する。内周領域４１には光ディスク２０のディスク管理情報が記録され、ホスト装置から記録要求頻度が比較的高い。したがって、ホスト装置からの記録要求頻度が比較的低い外周領域４３、中周領域４２、内周領域４１の順にダミーデータの記録を行うように、光ディスク装置１０は、ダミーデータ記録の領域を選択する。このように領域を選択することにより、光ディスク２０上でダミーデータの記録を効率よく行うことができる。したがって、光ディスク装置１０は、始めにダミーデータ記録する領域として外周領域４３を選択する（ステップＳ３０１）。
【００５９】
ダミーデータ記録する領域が設定されると、光ディスク装置１０は、選択されたダミーデータ記録領域内に未記録領域が存在するか検索を実施する（ステップＳ３０２）。選択されたダミーデータ記録領域内に未記録領域が存在しなければ（ステップＳ３０３−Ｎｏ）、光ディスク装置１０は、次のダミーデータ記録領域を選択し（ステップＳ３１１）、そのダミーデータ記録領域内に未記録領域が存在するか検索を実施する（ステップＳ３０２）。
【００６０】
選択されたダミーデータ記録領域内に未記録領域が存在するならば（ステップＳ３０３−Ｙｅｓ）、光ディスク装置１０は、その未記録領域に対してダミーデータの記録を実行する（ステップＳ３０４）。図９に示されるように、内周領域４１に記録済み領域３７−１が存在する場合、内周領域４１の未記録領域は、記録済み領域３７−１を除いた領域として１つ存在する。中周領域４２には記録済み領域３７−２が存在し、中周領域４２の未記録領域は、記録済み領域３７−２により２領域に分割されている。このような場合、例えば、外周側の未記録領域が、まず選択されてダミーデータが記録される。その未記録領域にダミーデータが記録されると、光ディスク２０上のデータ記録状態を示すＲＭＺ内のデータ記録履歴情報を更新する（ステップＳ３０５）。その後、ホスト装置からコマンドを受信しているか確認する（図８Ｂ：ステップＳ３０６）。
【００６１】
ホスト装置からコマンドを受信している場合（ステップＳ３０６−Ｙｅｓ）、ホストコマンド受信処理を開始する（ステップＳ３１２）。ホストコマンド受信処理の詳細は、後述する。ホスト装置からコマンドを受信していなければ（ステップＳ３０６−Ｎｏ）、データ記録履歴情報に基づいて、選択されたダミーデータ記録領域に対してダミーデータ記録が完了したかどうかの検索を実施する（ステップＳ３０７）。選択したダミーデータ記録領域に対してダミーデータ記録が完了していなければ（ステップＳ３０８−Ｎｏ）、その未記録領域に対してダミーデータの記録を実行する（図８Ａ：ステップＳ３０４）。選択したダミーデータ記録領域に対してダミーデータの記録が完了していれば（ステップＳ３０８−Ｙｅｓ）、データ記録履歴情報に基づいて、複数の領域に分割した全てのダミーデータ記録領域に対してダミーデータの記録処理が完了したか検索を実施する（ステップＳ３０９）。
【００６２】
分割した全てのダミーデータ記録領域に対してダミーデータの記録処理が完了していなければ（ステップＳ３１０−Ｎｏ）、次のダミーデータ記録領域を選択し（図８Ａ：ステップＳ３１１）、ステップＳ３０２からダミーデータの記録処理を継続する。分割した全てのダミーデータ記録領域に対してダミーデータの記録処理が完了していれば（ステップＳ３１０−Ｙｅｓ）、ダミーデータの記録処理を完了する。その後、ステップＳ２１０（図７Ａ）に戻り、ＲＭＺ内の記録モード情報の更新が終了しているか確認を行った後、ホストからのコマンド待ち状態に戻る。
【００６３】
次に、第２のダミーデータ記録処理動作が図１０を参照して説明される。第２のダミーデータ記録処理では、ダミーデータ記録領域の選択が異なる。図１１に示されるように、データ領域に内周側から記録済み領域３８−１、未記録領域４５−１、記録済み領域３８−２、未記録領域４５−２、記録済み領域３８−３、未記録領域４５−３が混在しているとする。光ディスク２０のディスク管理情報が記録され、ホスト装置から記録要求される頻度が比較的高い内周側の領域を後にし、ホスト装置から記録要求される頻度が比較的低い外周側の領域を先に処理する。したがって、未記録領域４５−３、未記録領域４５−２、未記録領域４５−１の順にダミーデータの記録処理が行われるように、光ディスク装置１０は動作する。すなわち、光ディスク装置１０が、光ディスク２０上の未記録領域に対してダミーデータを記録する場合、ダミーデータを記録すべき領域内の、通常のデータ記録及びダミーデータ記録が行われていない未記録領域を、ダミーデータ記録領域に割り当て、ダミーデータ記録を実施する。このようにダミーデータ記録領域を選択することにより、光ディスク２０上でダミーデータの記録を効率良く行うことができる。
【００６４】
図１０に示されるように、光ディスク装置１０は、まず、光ディスク２０上のダミーデータを記録する領域で、ホスト装置からの通常のデータ記録及びダミーデータ記録の指示によって、データ記録が行われていない未記録領域を検索する（ステップＳ４００）。
【００６５】
光ディスク装置１０は、検索された未記録領域（例えば、図１１に示される未記録領域４５−１〜４５−３）をダミーデータ記録領域に割り当てる（ステップＳ４０１）。このダミーデータ記録領域の中から一つの領域、例えば、未記録領域４５−３を選択する（ステップＳ４０２）。光ディスク装置１０は、選択したダミーデータ記録領域４５−３に対してダミーデータを記録する（ステップＳ４０３）。未記録領域の１つにダミーデータの記録が終わると、光ディスク装置１０は、ディスク上のデータ記録状態を示すＲＭＺ内のデータ記録履歴情報を更新する（ステップＳ４０４）。その後、ホスト装置からコマンドを受信しているか確認を行う（ステップＳ４０５）。
【００６６】
ホスト装置からコマンドを受信していれば（ステップＳ４０５−Ｙｅｓ）、ホストコマンド受信処理を開始する（ステップＳ４０９）。ホストコマンド受信処理の動作については、後述する。ホスト装置からコマンドを受信していなければ（ステップＳ４０５−Ｎｏ）、ダミーデータ記録領域に割り当てられた全ての領域に対するダミーデータの記録処理が完了したか検索を実施する（ステップＳ４０６）。
【００６７】
ダミーデータ記録領域に割り当てられた全ての領域に対するダミーデータの記録処理が完了していなければ（ステップＳ４０７−Ｎｏ）、光ディスク装置１０は、次のダミーデータ記録領域を選択する（ステップＳ４０８）。光ディスク装置１０は、ステップＳ４０２に戻ってダミーデータの記録処理を継続する。ダミーデータ記録領域に割り当てられた全ての領域に対するダミーデータの記録処理が完了していれば（ステップＳ４０７−Ｙｅｓ）、ダミーデータの記録処理を終了する。その後、ステップＳ２１０（図７Ａ）に戻り、ＲＭＺ内の記録モード情報の更新が終了しているか確認を行った後、ホスト装置からのコマンド待ち状態に戻る。
【００６８】
次に、ホストコマンド受信処理の動作が、図１２を参照して説明される。図１２は、光ディスク２０上に設定されたダミーデータ記録領域にダミーデータを記録中に、ホスト装置から通常の記録再生動作を要求するコマンドが発行された場合の光ディスク装置１０の動作例を示すフローチャートである。
【００６９】
ホスト装置が発行したコマンドを受信すると、光ディスク装置１０はそのコマンドの内容を識別する（ステップＳ５０１）。受信したコマンドが通常の記録再生動作を必要としないコマンドならば（ステップＳ５０２−Ｎｏ）、光ディスク装置１０は、ダミーデータ記録処理を中断することなく受信したコマンドを実行する（ステップＳ５０７）。ホストからの次のコマンド受信待ち状態となる（ステップＳ１１３：図７Ａ）。
【００７０】
受信したコマンドが通常の記録再生動作を必要とするコマンドならば（ステップＳ５０２−Ｙｅｓ）、光ディスク装置１０はダミーデータの記録処理を一時停止する（ステップＳ５０３）。光ディスク装置１０は、ダミーデータ記録を一時停止するまでにダミーデータ記録が完了した領域を、光ディスク２０上のデータ記録状態を示すＲＭＺ内のデータ記録履歴情報に登録する（ステップＳ５０４）。その後、ホストコマンド処理（ステップＳ５０５）を実行することになるが、これは、ステップＳ２０１（図７Ａ）以降の動作であり、ホスト装置から要求された記録再生動作が実行される。
【００７１】
このようにホストコマンド処理が実行され、図７Ａおよび図７Ｂに示されるランダム記録モード処理のループが繰り返される。光ディスク２０におけるデータ記録状況は、ＲＭＺ内のデータ記録履歴情報により確認される。光ディスク２０上に未記録領域が存在する場合、ダミーデータ記録動作が再開され、未記録領域には徐々にダミーデータが記録されていく。未記録領域がなくなると、光ディスク２０は、ＲＯＭ媒体との互換性が確保されたことになる。
【００７２】
このように、本実施の形態の光ディスク２０は、管理情報として記録モード情報とデータ記録履歴情報とを備え、光ディスク装置１０は、ランダム記録モードの場合に未記録領域に記録マークを形成するダミーデータ記録処理を自律的に行う。これにより、ランダム記録モードの光ディスク２０をユーザに意識させることなくＲＯＭ媒体との互換性を確保した光ディスク２０にすることが可能になる。
【００７３】
（第２の実施の形態）
次に、本発明の第２の実施の形態が説明される。第２の実施の形態に係る光ディスク装置１０は、シーケンシャル記録モードにのみ対応する。この光ディスク装置１０の構成は、第１の実施の形態に係る光ディスク装置１０の構成と同じであるため、説明は省略される。
【００７４】
シーケンシャル記録モードにのみ対応する光ディスク装置１０は、ホスト装置からの指示に対して、概ね、図１３に示されるように動作する。光ディスク装置１０は、装填された光ディスク２０の情報管理領域をアクセスし、管理情報を読み込む（ステップＳ２１）。光ディスク装置１０は、管理情報の中の記録モード情報に基づいて、その光ディスク２０がどの記録モードでデータが記録されているかを判別する（ステップＳ２２）。
【００７５】
光ディスク２０がランダム記録モードにより記録されている場合（ステップＳ２２−ランダム記録）、光ディスク装置１０は、シーケンシャル記録モードのみサポートしているため、ランダム記録モードによる記録動作ができない。したがって、光ディスク装置１０は、ホスト装置から記録要求があったとしても記録を行わず、ホスト装置の指示に対してエラーを返信するとか、装填された光ディスク２０を搬出するなど、記録拒否動作を行う。
【００７６】
一方、光ディスク２０がシーケンシャル記録モードにより記録されている場合（ステップＳ２２−シーケンシャル記録）、光ディスク装置１０は、ホスト処理から記録要求があれば（ステップＳ２４−要求あり）、記録要求に従って記録を行う（ステップＳ２６）。記録要求がなければ（ステップＳ２４−要求なし）、ホスト装置からの指示を待つ（ステップＳ２７）。この光ディスク装置１０は、記録マークを連続的に形成するため、ランダム記録に対応する光ディスク装置のように、空き時間に未記録領域を記録しなくても良い。
【００７７】
さらに、図１４、図１５を参照して、光ディスク装置１０の動作の詳細を説明する。図１４は、光ディスク２０が光ディスク１０に装填されたときの動作を示すフローチャートである。
【００７８】
光ディスク２０が装填されると、光ディスク装置１０は、所定の手順に従ってスピンドルオン、レーザオン、サーボオンというように、光ディスク２０の駆動を開始する。光ディスク２０をアクセスできるようになると、光ディスク装置１０は、システム領域に記録されている管理情報等を読み取る。光ディスク表面から反射膜までの距離、反射膜の数、その他光ディスク２０に記録されている情報等により光ディスクの種類およびデータ記録状態が特定される（ステップＳ６０１）。
【００７９】
装填された光ディスク２０が高密度の光ディスクでなければ（ステップＳ６０２−Ｎｏ）、ＲＭＺ内の記録モード情報に記録モードの設定を行わずに、通常のシーケンシャル記録動作に移行する（ステップＳ６０９）。
【００８０】
装填された光ディスク２０が高密度の光ディスクである場合（ステップＳ６０２−Ｙｅｓ）、光ディスク装置１０は、光ディスク２０上のデータ記録状態、ここでは、ユーザデータ記録が行われていないブランクディスクか否かを確認する（ステップＳ６０３）。
【００８１】
装填された光ディスク２０がブランクディスクでなければ（ステップＳ６０３−Ｎｏ）、ＲＭＺ内に設定されている記録モード情報を読み込んで設定されている情報を確認する（ステップＳ６１０）。記録モード情報にシーケンシャル記録モードが設定されていなければ（ステップＳ６１１−Ｎｏ）、ホスト装置へのエラー返信、ディスク排出等のエラー処理を行う（ステップＳ６１２）。設定されている記録モードがシーケンシャル記録モードであれば（ステップＳ６１１−Ｙｅｓ）、ホスト装置からの指示を待つコマンド待ち状態になる（ステップＳ６１３）。
【００８２】
装填された光ディスク２０がブランクディスクであれば（ステップＳ６０３−Ｙｅｓ）、ホスト装置からの指示を待つコマンド待ち状態になる（ステップＳ６０５）。
【００８３】
ホスト装置から受信したコマンドが、記録モードを設定する記録モード設定コマンドでなければ（ステップＳ６０６−Ｎｏ）、光ディスク装置１０はホスト装置へのエラー返信、ディスク排出等のエラー処理を行う（ステップＳ６１２）。ホスト装置から記録モード設定コマンドを受信すると（ステップＳ６０６−Ｙｅｓ）、光ディスク装置１０はホスト装置から要求されている記録モードがシーケンシャル記録モードであるか確認する（ステップＳ６０７）。
【００８４】
ホスト装置から要求された記録モードがシーケンシャル記録モードでなければ（ステップＳ６０７−Ｎｏ）、光ディスク装置１０はホスト装置へのエラー返信、ディスク排出等のエラー処理を行う（ステップＳ６１２）。ホスト装置からシーケンシャル記録モードの設定を要求された場合（ステップＳ６０７−Ｙｅｓ）、記録モード情報として“シーケンシャル記録モード（未記録領域あり）”を設定し、ＲＭＺ内に記録する（ステップＳ６０８）。その後、光ディスク装置１０は、ホスト装置からのコマンド待ち状態になる（ステップＳ６１３）。
【００８５】
このコマンド待ち状態（ステップＳ６１３）以降の動作例は、図１５に示される。光ディスク装置１０は、シーケンシャル記録モードでホスト装置から指示を待つ（ステップＳ６１３）。ホスト装置から通常の記録再生動作を必要とするコマンドを受信していなければ（ステップＳ７００−Ｎｏ）、ホスト装置からのコマンド待ち状態を継続する。
【００８６】
ホスト装置からのコマンド待ち状態で（ステップＳ６１３）、通常の記録再生動作を必要とするコマンドを受信したならば（ステップＳ７００−Ｙｅｓ）、受信したコマンドの内容を確認する（ステップＳ７０１）。
【００８７】
ホスト装置からのコマンドが、データ再生要求ならば（ステップＳ７０１−Ｎｏ）、光ディスク２０に対して通常のデータ再生動作を行い（ステップＳ７０７）、ホスト装置からのコマンド待ち状態に戻る（ステップＳ６１３）。ホスト装置からのコマンドが、データ記録要求ならば（ステップＳ７０１−Ｙｅｓ）、光ディスク２０に対してデータ記録動作を行う（ステップＳ７０２）。データ記録を完了すると、光ディスク２０上のデータ記録状態を示すＲＭＺ内のデータ記録履歴情報を更新する（ステップＳ７０３）。
【００８８】
その後、光ディスク２０上に未記録領域が存在するか確認を行う（ステップＳ７０４）。光ディスク２０上に未記録領域が存在するならば（ステップＳ７０４−Ｎｏ）、ホスト装置からのコマンド待ち状態に戻る（ステップＳ６１３）。光ディスク２０上に未記録領域が存在しなければ（ステップＳ７０４−Ｙｅｓ）、ＲＭＺ内の記録モード情報の更新が終了しているか確認を行う（ステップＳ７０５）。ＲＭＺ内の記録モード情報が更新されていれば（ステップＳ７０５−Ｎｏ）、ホスト装置からのコマンド待ち状態に戻る（ステップＳ６１３）。ＲＭＺ内の記録モード情報が更新されていなければ（ステップＳ７０５−Ｙｅｓ）、ＲＭＺ内の記録モード情報に“シーケンシャル記録モード（未記録領域なし）”を設定し（ステップＳ７０６）、ホスト装置からのコマンド待ち状態に戻る（ステップＳ６１３）。
【００８９】
このように、シーケンシャル記録モードに対応する光ディスク装置１０の場合、記録済み領域は連続的に形成されるため、ランダム記録に対応する光ディスク装置のように、空き時間に未記録領域を記録しなくてもよい。ファイナライズという終了処理を行うことによりＲＯＭ媒体との互換性が確保される。
【００９０】
上述のように、第１の実施の形態では光ディスク装置１０がランダム記録モードのみに対応している場合の動作手順、第２の実施の形態では光ディスク装置１０がシーケンシャル記録モードのみに対応している場合の動作手順が説明された。ランダム記録モードおよびシーケンシャル記録モードの両方に対応する光ディスク装置であれば、それぞれの記録モードによる動作を行うことになる。この両モードをサポートしている光ディスク装置は、どちらの記録モードのディスクが装填されても記録を拒否することはない。また、未記録領域の残っている光ディスク２０が装填された場合、ホスト装置から記録、再生などの命令がないときに、光ディスク装置１０は未記録領域にダミーデータを自律的に記録する。また、ブランクディスクが光ディスク装置に装填された場合には、光ディスク装置１０は、ホスト装置からの指示に従って、指示された記録モードにより動作する。また、装填された光ディスク２０が既にランダム記録モード、またはシーケンシャル記録モードで記録されているならば、記録されている記録モードに従って動作すればよい。
【００９１】
また、本発明は波長４０５ｎｍ、ＮＡ０．６５に限定されることなく、あらゆる波長、および開口数ＮＡに適応可能である。また、上述ではＰＲ（１２２２１）というクラスを使用したがＰＲ（１２２１）など他のクラスでも同様に使用することができる。さらに、上述ではＰＲＭＬを使用した場合について記載したが、ＰＲＭＬを使用しない系でも同様に使用することができる。
【図面の簡単な説明】
【００９２】
【図１】本発明の実施の形態に係る情報記録再生装置の構成を示すブロック図である。
【図２】同管理情報の一例を示す図である。
【図３】本発明の第１の実施の形態に係る光ディスク装置の概略動作を示すフロー図である。
【図４】同光ディスクの記録状態を説明する図である。
【図５】同光ディスクのダミーデータの記録状態を説明する図である。
【図６】同光ディスク装置の動作の詳細を示すフロー図である。
【図７Ａ】同ランダム記録モード処理のフロー図（１）である。
【図７Ｂ】同ランダム記録モード処理のフロー図（２）である。
【図８Ａ】同ダミーデータ記録処理１のフロー図（１）である。
【図８Ｂ】同ダミーデータ記録処理１のフロー図（２）である。
【図９】同ダミーデータ記録を行う際の領域分割の一例を示す図である。
【図１０】同ダミーデータ記録処理２のフロー図である。
【図１１】同ダミーデータ記録を行う際の領域分割の一例を示す図である。
【図１２】同ホストコマンド受信処理のフロー図である。
【図１３】本発明の第２の実施の形態に係る光ディスク装置の概略動作を示すフロー図である。
【図１４】同光ディスク装置の動作の詳細を示すフロー図である。
【図１５】同シーケンシャル記録モード処理のフロー図である。
【符号の説明】
【００９３】
１０  光ディスク装置
１１  スピンドル駆動系
１２  光ヘッド
１３  ＬＤ駆動系
１４  再生信号系
１５  データ制御コントローラ
１６  サーボコントローラ
１７  システムコントローラ
１８  メモリ
２０  光ディスク
３１  リードイン領域
３２  リードアウト領域
３３  データ領域
３４、３４−１、３４−２、３４−ｎ  ユーザデータ記録済み領域
３５、３５−１、３５−２、３５−ｎ  ダミーデータ記録済み領域
３７−１、３７−２  記録済み領域
３８−１、３８−２、３８−３  記録済み領域
４１  内周領域
４２  中周領域
４３  外周領域
４５−１、４５−２、４５−３  ダミーデータ記録領域
【図１】
2008047212.tif 000003
【図２】
2008047212.tif 000004
【図３】
2008047212.tif 000005
【図４】
2008047212.tif 000006
【図５】
2008047212.tif 000007
【図６】
2008047212.tif 000008
【図７Ａ】
2008047212.tif 000009
【図７Ｂ】
2008047212.tif 000010
【図８Ａ】
2008047212.tif 000011
【図８Ｂ】
2008047212.tif 000012
【図９】
2008047212.tif 000013
【図１０】
2008047212.tif 000014
【図１１】
2008047212.tif 000015
【図１２】
2008047212.tif 000016
【図１３】
2008047212.tif 000017
【図１４】
2008047212.tif 000018
【図１５】
2008047212.tif 000019